(57)【要約】 【課題】動物による被害の問題、ゴミ集積場へ搬出する曜日の問題等が解消されると共に、ゴミ収集後の搬出に格別に人員を要しない地上設置型のゴミ収納装置を安価に提供する。【解決手段】地上（Ｇ）と地上の所定高さ位置との間を移動可能に設けられている可動ゴミ箱（１）と、該可動ゴミ箱（１）の下方に設けられ、可動ゴミ箱を昇降する駆動装置（１０）とから構成する。可動ゴミ箱（１）には、開閉自在な蓋体（６）を備えたゴミ投入口（７）と、開閉自在な蓋体（８）を備えたゴミ排出口（９）とを設ける。可動ゴミ箱（１）は、駆動装置（１０）により所定高さまで駆動されると共に、所定高さ位置ではゴミ排出口（９）の方が下方に位置するように傾斜される。そして、駆動装置（１０）を水道水で作動する水圧ピストンシリンダユニット（１１、１２）から構成する。【選択図】  図１
2005350191.tif 000002
【特許請求の範囲】
【請求項１】
地上と地上の所定高さ位置との間を移動可能に設けられている可動ゴミ箱と、該可動ゴミ箱の下方に設けられ、前記可動ゴミ箱を昇降する駆動装置とからなり、前記可動ゴミ箱には、開閉自在な蓋体を備えたゴミ投入口と、その一側壁には同様に開閉自在な蓋体を備えたゴミ排出口とが設けられ、
前記可動ゴミ箱は、前記駆動装置により所定高さまで駆動されると共に、所定高さ位置では前記ゴミ排出口が下方に位置するように傾斜されるようになっていることを特徴とする、地上設置型のゴミ収納装置。
【請求項２】
請求項１に記載のゴミ収納装置において、可動ゴミ箱の内部は可燃ゴミ用の室、不燃ゴミ用の室等の複数個の室に仕切られ、それぞれの室に対応して開閉自在な蓋体を備えたゴミ投入口と、開閉自在な蓋体を備えたゴミ排出口とが設けられている地上設置型のゴミ収納装置。
【請求項３】
請求項１または１に記載のゴミ収納装置において、可動ゴミ箱の底壁にはフリーローラコンベヤあるいはフリーボールコンベヤが設けられている地上設置型のゴミ収納装置。
【請求項４】
請求項１〜３のいずれかの項に記載のゴミ収納装置において、駆動装置が水圧ピストンシリンダユニットから構成されている地上設置型のゴミ収納装置。
【発明の詳細な説明】
【技術分野】
【０００１】
本発明は、地上と、地上の所定高さ位置との間を移動可能に設けられ、地上に位置するときゴミが投入されるようになっている地上設置型のゴミ収納装置に関するもので、特に限定するものではないが家庭、公共施設等から排出される比較的少量のゴミ収納装置として好適な地上設置型のゴミ収納装置に関するものである。
【背景技術】
【０００２】
公園、集会所等の公共施設には、周知のように、ゴミ箱が設置されている。このようなゴミ箱に投入されるゴミは、直接あるいはゴミ袋に収納されてゴミ収集車すなわちパッカー車により焼却場あるいは埋立地まで輸送されて処理されている。また、家庭等から排出される比較的小さなゴミは、ゴミ袋あるいはポリ容器に入れられて所定の集積箇所に集められ、そして所定日にゴミ収集車により回収され、そして焼却場等の処理場まで輸送されている。
【０００３】
【特許文献１】特開２０００−２５９０２
【特許文献２】特開２０００−２７２７０６
【特許文献３】特開２００３−３２７３０２
【特許文献４】特開２００２−３７４０２
【特許文献５】特開２００２−４６８０７
【０００４】
ゴミは、上記のようにして集められ、そして搬送処理されているが、色々な問題もある。そこで、従来から種々のゴミ箱が提案されている。例えば、特許文献１によりゴミを圧縮する圧縮機能付きのゴミ箱が提案されている。また、ゴミはポリ容器、ゴミ袋等に入れられて集積箇所へ搬出されることが多いが、集積箇所において犬、猫、鳥等の動物によるゴミの散乱被害も出ている。このような被害を防ぐために、特許文献２により開閉蓋付きのゴミ収集箱装置も提案されている。さらには、動物により被害を防ぐと共に、風による散乱を防止するための、網状の覆具も例えば特許文献３、４により提案されている。また、特許文献５により、ゴミ収集ボックスが提案されている。このゴミ収集ボックスは、ゴミ箱本体と、この本体の底部に設けられているゴミ受板と、このゴミ受板を上下方向に駆動する可逆モータとからなっている。そして、情報処理センタからの信号を受信すると、可逆モータが回転してゴミ受板が上方の所定位置まで駆動され、ゴミ受板上のゴミがゴミ収集車に排出されるようになっている。
【発明の開示】
【発明が解決しようとする課題】
【０００５】
特許文献１〜４によると、例え家庭から排出される生ゴミをゴミ集積場に出しても、動物の被害を受けることはなく、それなりの効果は認められる。しかしながら、ゴミはポリ容器あるいはゴミ袋に入れられてはいるが、ゴミ集積場に積み重ねられるので、集積場近傍の景観を損なっている。また、付近に臭気を発する問題もある。このような理由により、町内におけるゴミ集積場の選定は困難を極め、近所において順番制にしているのが現状である。また、景観を損ない、臭気を発するので、ゴミ収集車と合わせてゴミ集積場へ搬出する曜日および時間が指定されていることもあり、不便でもある。特許文献５により提案されているゴミ収集ボックスによると、ゴミはボックス内に収納されるので、臭気の問題はある程度軽減されている。また、情報処理センタからの信号により、ゴミ受板を上昇させてゴミ収集車に積み込むことができる利点も認められる。しかしながら、ゴミ受板は上方へ駆動されるだけで、パッカー車に積み込むためには別の作業員を必要とし、人件費が嵩む恐れがある。また、駆動装置が可逆電動モータからなって、構造的にも複雑で、高価になることが予想される。さらには、ゴミ箱の外形は大きくても利用できる容積が小さい点も問題である。
本発明は、上記したような従来の実情に鑑みてなされたもので、動物による被害の問題、ゴミ集積場へ搬出する曜日の問題等が解消されると共に、ゴミ収集後の搬出に格別に人員を要しない地上設置型のゴミ収納装置を安価に提供することを目的としている。また、利用可能な容積の大きい地上設置型のゴミ収納装置を提供することも目的としている。
【課題を解決するための手段】
【０００６】
本発明は、上記目的を達成するために、ゴミ収納装置の可動ゴミ箱は地上に設置するように構成される。この可動ゴミ箱には、開閉自在な蓋体を備えたゴミ投入口が設けられ、また収納されるゴミ排出用の排出口も設けられる。さらには、可動ゴミ箱は、可燃ゴミ用、不燃ゴミ用等の複数個の室にも仕分けられる。このように構成される可動ゴミ箱は、昇降装置望ましくは水圧ピストンシリンダユニットにより、地上の所定高さ例えばパッカー車の位置まで駆動され、そしてゴミ排出口を下方にして傾斜されるようになっている。
【０００７】
かくして、請求項１に記載の発明は、上記目的を達成するために、地上と地上の所定高さ位置との間を移動可能に設けられている可動ゴミ箱と、該可動ゴミ箱の下方に設けられ、前記可動ゴミ箱を昇降する駆動装置とからなり、前記可動ゴミ箱には、開閉自在な蓋体を備えたゴミ投入口と、その一側壁には同様に開閉自在な蓋体を備えたゴミ排出口とが設けられ、前記可動ゴミ箱は、前記駆動装置により所定高さまで駆動されると共に、所定高さ位置では前記ゴミ排出口が下方に位置するように傾斜されるようになっている。
請求項２に記載の発明は、請求項１に記載のゴミ収納装置において、可動ゴミ箱の内部は可燃ゴミ用の室、不燃ゴミ用の室等の複数個の室に仕切られ、それぞれの室に対応して開閉自在な蓋体を備えたゴミ投入口と、開閉自在な蓋体を備えたゴミ排出口とが設けられ、請求項３に記載の発明は、請求項１または１に記載のゴミ収納装置において、可動ゴミ箱の底壁にはフリーローラコンベヤあるいはフリーボールコンベヤが設けられ、そして請求項４に記載の発明は、請求項１〜３のいずれかの項に記載のゴミ収納装置において、駆動装置が水圧ピストンシリンダユニットから構成されている。
【発明の効果】
【０００８】
以上のように、本発明によると、可動ゴミ箱は地上に設置されるようになっているので、ゴミを容易に投入することができる。このとき、ゴミ投入口には開閉蓋が設けられているので、一旦可動ゴミ箱に投入すると、犬、鳥等の動物により被害を受けることも、悪臭を発し環境を悪化させるようなこともない。動物の被害も受けず、悪臭も発しないので、投入する曜日、時間等に制約されることなく、何時でも可動ゴミ箱を利用することができる。
そして、本発明によると、駆動装置により所定高さまで駆動され、所定高さ位置では排出口が下方になるように傾斜されるので、可動ゴミ箱に投入されたゴミを、重力を利用して例えばパッカー車に滑らせて積み込むことができるという、本発明に特有の効果が得られる。また、滑らせて積み込むことができるので、運転手のみでゴミの回収ができることになる。したがって、人員の削減効果が得られる。さらには、可動ゴミ箱を放置していても環境を悪化させることがないので、巡回回収曜日、時間等に制約を受けることなく、何時でも回収できる。したがって、パッカー車を休むことなく稼働させ、パッカー車台数を減らすこともできる。また、可動ゴミ箱の底壁にフリーローラコンベヤあるいはフリーボールコンベヤが設けられている発明によると、可動ゴミ箱内にゴミ袋あるいはゴミ収集コンテナを適用すると、可動ゴミ箱の傾斜角度が小さくても、排出できる。駆動装置が水圧ピストンシリンダユニットから構成されている発明によると、水道水あるいは給水タンク、雨水タンク等のタンク中の水を供給するだけで可動ゴミ箱を所定高さまで駆動できる。したがって、製造コストと共に、ランニングコストも低いゴミ収納装置を提供できる。
【発明を実施するための最良の形態】
【０００９】
以下、図１により、本発明の実施の形態を説明する。図１の（イ）は地上に設置あるいは地上へ降ろされた状態を示す側面図であるが、同図に示されているように本実施の形態に係わる可動ゴミ箱１は、４周側壁、天板４および底板５から略密閉構造体として立方体を呈するように構成されている。このように立方体を呈する可動ゴミ箱１の一方の側壁２の所定高さ位置には、開閉自在な蓋体６を有するゴミ投入口７が設けられている。また、他方の側壁３には、大きな開閉蓋８を有するゴミ排出口９が設けられている。
【００１０】
このように構成されている可動ゴミ箱１の下方に駆動装置１０が配置されている。駆動装置１０は、本実施の形態によると、複数本の水圧ピストンシリンダユニット１１、１２、…から構成されている。さらに詳しくは、水圧ピストンシリンダユニット１１のシリンダ１３もロッド１４も比較的長く、このロッド１４の先端部は可動ゴミ箱１のゴミ投入口７に近い方の底板５に枢着され、シリンダ１３の下端部は地上Ｇの固定部材に揺動自在に取り付けられている。短い方の水圧ピストンシリンダユニット１２は、多段あるいはテレスコピックに構成され、そのロッド１５の上端部は可動ゴミ箱１のゴミ排出口９に近い底板５に揺動自在に取り付けられている。その多段シリンダの最終シリンダ１６は、地上Ｇに固定されている。したがって、水道水をこれらの水圧ピストンシリンダユニット１１、１２のピストンヘッド側に同期して供給すると、可動ゴミ箱１全体が地上の所定高さまで駆動されるが、最終的には可動ゴミ箱１は傾斜し、ゴミ排出口９側が下方になる。
【００１１】
可動ゴミ箱１が設置されている近傍には、開閉バルブが収納されているロック蓋２１付きのバルブボックス２０が設けられている。そして、水圧ピストンシリンダユニット１１、１２と図示されない水道栓は、バルブボックス２０を介して、可撓性のホースで接続されている。したがって、バルブボックス２０のロック蓋２１を開いて開閉バルブを操作すると、水道水が水圧ピストンシリンダユニット１１、１２に給排され、可動ゴミ箱１は地上と地上の所定高さ位置との間を駆動されることになる。
【００１２】
次に、その作用について説明する。通常は可動ゴミ箱１は、図１の（イ）に示されているように地上に降ろしておく。降ろされた位置では、駆動装置１０はスカートＳ，Ｓ、…で覆われ、可動ゴミ箱１は意匠効果を考慮されて製作されているので、環境を損なうようなこと少ない。曜日、日時等に制限されることなく、必要に応じてゴミ投入口７の蓋体６を開けて、適宜投入する。このとき、可動ゴミ箱１は密閉構造になっているので、投入されたゴミが犬、カラス等の動物に荒らされることも、風に吹き飛ばされることもない。また、ゴミ投入口７には蓋体６が取り付けられているので、昆虫等の小動物が侵入することもない、さらには投入されたゴミから悪臭が漂うことも少ない。所定日になると、あるいは曜日になると、パッカー車Ｖが循環回収に来る。運転者は、バルブボックス２０のロック蓋２１を開いて開閉バルブを操作する。そうすると、水圧ピストンシリンダユニット１１、１２に水道水が供給され、可動ゴミ箱１は水圧ピストンシリンダユニット１１、１２のピストンロッド１４、１５の伸長により地上の所定高さ、例えば図１の（ロ）に示されているパッカー車Ｖの車高の高さまで駆動される。このとき、ゴミ排出口９が下方になるように傾斜する。蓋８を開くと、ゴミは自重によりパッカー車Ｖに積み込まれる。運転者はバルブを操作して可動ゴミ箱１を元の位置へ戻してから、別の回収箇所へ向かう。以下同様にして、巡回回収する。
【００１３】
本発明は、上記図示の実施の形態に限定されることなく色々な変形が可能である。例えば、図示の実施の形態によると、可動ゴミ箱１は、複数本の水圧ピストンシリンダユニット１１、１２により支持されているので、可動ゴミ箱１を案内するガイド支柱、ガイドレール等は必要としないが、ガイドする支柱等を設けることもできる。また、可動ゴミ箱１の蓋体６、８は側壁２、３の一部となっているので、すなわち突出物がないので、全体として立方体を呈し意匠効果に優れているが、ゴミ投入口７を天板４に例えば突出して設けることもできる。また、可動ゴミ箱１内を可燃物用の室、不燃物用の室等の複数個の室に区切り、そして、これらの複数個の室に対応して、ゴミ投入口とゴミ排出口とをそれぞれ設けることもできる。また、可動ゴミ箱１内にゴミ収集コンテナを収納するように実施することもできる。コンテナを適用すると、可動ゴミ箱１内を仕切る必要がなくなる。ゴミ収集コンテナに代えてゴミ袋で実施できることは明らかである。ゴミ収集コンテナあるいはゴミ袋を適用すると、ゴミの分別投入効果が得られる。また、ゴミ収集コンテナをそのままゴミ収集車以外の安価な車両で運ぶことができる効果も得られる。
【００１４】
ゴミ収集コンテナを使用するときは、コンテナに投入されるゴミを圧縮する圧縮手段を設けることもできる。コンテナおよび圧縮手段の具体的な構造については図には示されていないが、ゴミ収集コンテナを前後壁と側壁と底壁とから略立方体を呈するように構成し、その外側に位置する側壁を、下方の固定壁と、その上方に蝶番により揺動自在に取り付けられている揺動壁とから構成することができる。揺動壁を内側へ駆動すると、ゴミ収集コンテナに収容されるゴミは圧縮されることになる。そこで、揺動壁を水圧ピストンシリンダユニットで駆動するように構成する。このとき、水圧ピストンシリンダユニットのピストンロッドの往復動運動は、例えばリンク機構、クランク機構等の運動変換機構を介して揺動運動に変換される。
【００１５】
ゴミ収集コンテナ、ゴミ袋等を適用するときは、可動ゴミ箱１の底板５に、複数個のローラあるいはボールからなる複数列のフリーコンベヤを設けることもできる。
【００１６】
さらには、水圧ピストンシリンダユニット１１、１２には水道水を給排する旨説明したが、高所に設置されている雨水タンク、給水タンク等のタンクの水も同様に利用できることは明らかである。したがって、水道水と言うときは、これらの水も含まれることになる。また、水圧ピストンシリンダユニットに代えてモータなどを駆動源とする他の駆動手段で実施できることは明らかである。また、上記のように構成されている可動ゴミ箱１の内周面には抗菌剤を塗布することもできる。
【図面の簡単な説明】
【００１７】
【図１】本発明の実施の形態を模式的に示す図で、その（イ）は可動ゴミ箱が地上に収まった状態で示す側面図、その（ロ）は可動ゴミ箱が地上の所定高さ（自動車の車高）まで駆動された状態で示す側面図である。
【符号の説明】
【００１８】
１    可動ゴミ箱                    ６    蓋体
７    ゴミ投入口                    ８    蓋
９    ゴミ排出口                  １０    駆動装置
１１、１２    水圧ピストンシリンダユニット
【図１】
2005350191.tif 000003